(57)【要約】      （修正有）【課題】液体噴射装置の筐体内に漂った液体ミストが、筐体内部の壁面や部品等に付着しないようにすることができる液体噴射装置を提供すること。【解決手段】液体噴射ヘッド３の液体吐出口を覆うキャップ部材７を備える液体噴射装置において、キャップ部材７は、液体噴射装置１の非噴射動作時には、キャップ部材７の開口部が液体吐出口を覆うキャッピング位置に配置され、液体噴射装置１の噴射動作可能時には、開口部が噴射媒体Ｐの上方となる噴射動作位置に配置され、キャップ部材７には、開口部内に対して吸引を行う吸引手段１０が接続されていることとする。【選択図】図１
2008307840.tif 000002
【特許請求の範囲】
【請求項１】
液体噴射ヘッドの液体吐出口を覆うキャップ部材を備える液体噴射装置において、
上記キャップ部材は、
上記液体噴射装置の非噴射動作時には、上記キャップ部材の開口部が上記液体吐出口を覆うキャッピング位置に配置され、
上記液体噴射装置の噴射動作可能時には、上記開口部が噴射媒体の上方となる噴射動作位置に配置され、
上記キャップ部材には、上記開口部内に対して吸引を行う吸引手段が接続されている、
ことを特徴とする液体噴射装置。
【請求項２】
前記キャップ部材は、前記噴射動作位置では、前記開口部が下方に向いていることを特徴とする請求項１に記載の液体噴射装置。
【請求項３】
前記吸引は、噴射動作実行時において行われることを特徴とする請求項１または２に記載の液体噴射装置。
【請求項４】
前記キャップ部材は、前記液体噴射ヘッドに対して、前記噴射媒体の搬送方向の側に配設されていることを特徴とする請求項１から３のいずれか１項に記載の液体噴射装置。
【発明の詳細な説明】
【技術分野】
【０００１】
本発明は、液体噴射装置に関する。
【背景技術】
【０００２】
液体噴射装置の一種であるインクジェットプリンタにおいては、印字動作実行時に、印字ヘッドから吐出されるインクの一部がミスト（霧状）となって、インクジェットプリンタの筐体内に漂うことがある。このように筐体内に漂ったインクミストは、筐体内部の壁面や部品等に付着し、部品の劣化や動作上の支障を招いたり、該壁面等に付着したミストが印字用紙に付着してしまうという問題がある。従来、特許文献１には、非印字動作時に、ノズル内に在るインクの溶媒が蒸発しノズル内のインクが凝固してしまうことのないように印字ヘッドに対してキャッピングを行い、また、印字に関与しない印字ヘッドのノズルが目詰まりしないように、この印字に関与しないノズルについてフラッシングを行った際のインクを受けるキャップを備えるインクジェットプリンタが開示されている。
【０００３】
【特許文献１】特開２００７−６９４４８号公報
【発明の開示】
【発明が解決しようとする課題】
【０００４】
しかしながら、特許文献１に開示される構成のインクジェットプリンタに備えられるキャップは、印字ヘッドのキャッピングとフラッシングされたインクの受けに使用されるものであり、印字ヘッドから吐出されるインクミストに起因する上述の問題の解決を意図するものではなく、その解決に寄与するものでもない。
【０００５】
そこで、本発明は、液体噴射装置の筐体内に漂った液体ミストが、筐体内部の壁面や部品等に付着しないようにすることができる液体噴射装置を提供することを目的とする。
【課題を解決するための手段】
【０００６】
上述の課題を解決するため、液体噴射ヘッドの液体吐出口を覆うキャップ部材を備える液体噴射装置において、キャップ部材は、液体噴射装置の非噴射動作時には、キャップ部材の開口部が液体吐出口を覆うキャッピング位置に配置され、液体噴射装置の噴射動作可能時には、開口部が噴射媒体の上方となる噴射動作位置に配置され、キャップ部材には、開口部内に対して吸引を行う吸引手段が接続されていることとする。
【０００７】
液体噴射装置をこのように構成した場合には、キャップ部材を介して吸引手段により、液体噴射ヘッドから吐出された液体の液体ミストを吸引することができる。そのため、筐体内部の壁面や部品等に液体ミストが付着することを防ぐことができる。
【０００８】
また、他の発明は、上述の発明に加え、キャップ部材は、噴射動作位置では、開口部が下方に向いていることとする。
【０００９】
液体噴射装置をこのように構成した場合には、開口部を液体噴射ヘッドの液体吐出部に近づけることができるので、液体ミストの吸引を効率的に行うことができる。
【００１０】
また、他の発明は、上述の発明に加え、吸引は、噴射動作実行時において行われることとする。
【００１１】
液体噴射装置をこのように構成した場合には、噴射動作実行時において液体噴射ヘッドから吐出された液体の液体ミストを吸引することにより、液体ミストが液体噴射装置内に飛散する前に、液体ミストを吸引することができる。そのため、筐体内部の壁面や部品等に液体ミストが付着することをより効果的に防ぐことができる。
【００１２】
また、他の発明は、上述の発明に加え、キャップ部材は、液体噴射ヘッドに対して、噴射媒体の搬送方向の側に配設されていることとする。
【００１３】
液体噴射装置をこのように構成した場合には、液体ミストの流れ側にキャップ部材を配設することができるので、液体ミストの吸引の効率を上げることができる。
【発明を実施するための最良の形態】
【００１４】
（第１の実施形態）
以下、本発明の第１の実施の形態について、図面を参照しながら説明をする。
【００１５】
（インクジェットプリンタの全体構成）
図１および図２は、本発明の実施の形態に係る液体噴射装置としてのインクジェットプリンタ（以下、単にプリンタと言う。）１の全体的な概略の構成を示す斜視図である。図１は、プリンタ１が噴射動作としての印字動作を実行することができる状態にある噴射動作可能時としての印字動作可能時のプリンタ１の状態を示し、図２は、プリンタ１が印字動作を実行することができない状態にある非噴射動作時としての非印字動作時のプリンタ１の状態を示している。
【００１６】
なお、以下の説明において、図中矢印Ａで示す方向を前方（前側）、その反対方向を後方（後側）とし、前方から後方を見て、左手側を左方（左側）、右手側を右方（右側）、そして、液体が噴射される対象である噴射媒体としての印字用紙Ｐの印字面ＰＭの側を上方（上側）、その反対側を下方（下側）として説明を行う。
【００１７】
図１に示すように、プリンタ１は、図示を省略する搬送モータによって回転駆動される搬送ローラ対２Ａ，２Ｂを備えている。印字動作可能時において、印字用紙Ｐを、搬送ローラ対２Ａに供給すると供給された印字用紙Ｐは、搬送ローラ対２Ａ，２Ｂにより前方に向かって、すなわち、搬送ローラ対２Ａから搬送ローラ対２Ｂに向かって搬送される。そして、この搬送される印字用紙Ｐに対して、液体噴射ヘッドとしての印字ヘッド３から液体であるインクを吐出（噴射）することによって印字動作が実行される。
【００１８】
印字ヘッド３は、搬送ローラ対２Ａと搬送ローラ対２Ｂの間に、プリンタ１に対して固定状態で配設され、搬送ローラ対２Ａの側から搬送ローラ対２Ｂの側に搬送される印字用紙Ｐに対してインクを吐出する。この印字ヘッド３は、図示を省略するフレキシブルケーブルを介して、同じく図示を省略するＣＰＵ（Ｃｅｎｔｒａｌ  Ｐｒｏｃｅｓｓｉｎｇ  Ｕｎｉｔ）等により構成される制御部の制御を受け、各インクノズル（図示省略）からインクを吐出し、印字用紙Ｐの記録面ＰＭに対して文字や図形等を印字する。すなわち、各インクノズルから吐出されるインクにより、印字用紙Ｐの記録面ＰＭに対して文字や図形等を記録する。
【００１９】
印字ヘッド３は、左右方向に長い長尺状をした略直方体を呈し、印字面ＰＭに対向する下側の面となるインク吐出口形成面４に、印字用紙Ｐの左右方向の幅方向に亘って図示を省略するインクノズルと液体吐出口としてのインク吐出口とが形成される、いわゆるライン型ヘッドとして構成されている。すなわち、この印字ヘッド３は、印字用紙Ｐに対して、該幅方向の広い範囲に亘って一括してインクの吐出を行うことができるものである。
【００２０】
印字ヘッド３の下側には、搬送ローラ対２Ａから搬送ローラ対２Ｂに向かって搬送される印字用紙Ｐの下面を支持するプラテン５が配設されている。すなわち、印字用紙Ｐは、印字ヘッド３とプラテン５の間を通って、搬送ローラ対２Ａ側から搬送ローラ対２Ｂ側に搬送される。なお、プラテン５の前後にはそれぞれ、搬送ローラ対２Ａからプラテン５の間、およびプラテン５から搬送ローラ対２Ｂの間において、印字用紙Ｐの下面を支持する図示を省略する用紙ガイドが設けられ、この用紙ガイド沿って、印字用紙Ｐは、搬送ローラ対２Ａからプラテン５を通って搬送ローラ対２Ｂに向かって搬送される。
【００２１】
また、プリンタ１には、印字動作可能時と非印字動作時とで、配置位置が変位するキャップ機構６が設けられている。すなわち、このキャップ機構６は、印字動作可能時においては、図１に示すように、印字ヘッド３の前方に配置され、非印字動作時においては、図２に示すように、印字ヘッド３の下側に配置されるように配置位置が変位する。
【００２２】
プラテン５は、図２に示すように、前プラテン５Ａと後プラテン５Ｂにより構成され、前プラテン５Ａと後プラテン５Ｂとは前後方向に２分割可能に構成されている。後プラテン５Ｂは、プリンタ１に対して固定状態に配設されているのに対して、前プラテン５Ａは、図示を省略するプラテン移動機構により、前後方向に変位可能に構成されているもので、印字ヘッド３の下方位置で、前プラテン５Ａと後プラテン５Ｂとに分割させられる。
【００２３】
図１に示すように、前プラテン５Ａは、印字動作可能時にプラテン移動機構により（図示省略）、前プラテン５Ａの後端縁５Ａｅを後プラテン５Ｂの前端縁５Ｂｅに当接する後方位置に配置させられる。一方、前プラテン５Ａは、図２に示すように、非印字動作時に前プラテン５Ａの後端縁５Ａｅと後プラテン５Ｂの前端縁５Ｂｅとの間に間隔Ｄが形成される前方位置に配置される。したがって、キャップ機構６は、前プラテン５Ａが前方位置に配置され前プラテン５Ａと後プラテン５Ｂとの間に形成される間隔Ｄを通して、図１に示す印字動作可能時における印字ヘッド３の前方と、図２に示す非印字動作時における印字ヘッド３に下側とに変位することができる。なお、後プラテン５Ｂは、後プラテン５Ｂの前端縁５Ｂｅが、非印字動作時に印字ヘッド３の下側に配置されるキャップ機構６に干渉しない位置に配設されている。
【００２４】
（キャップ機構の構成）
次に、キャップ機構６の構成について説明する。キャップ機構６は、キャップ部材７と、このキャップ部材７を図１に示す印字ヘッド３の前方と図２に示す印字ヘッド３の下側とに変位させるキャップ部材変位用モータ８等を有している。また、キャップ部材７には、可撓性チューブ９を介して吸引手段としての吸引ポンプ１０が接続されている。
【００２５】
（キャップ部材の構成）
キャップ部材７は、図３に示すように、左右方向に長い長尺状を呈し、一面に開口を有し中空状の空間となる開口部１１が形成されている箱体となっている。このキャップ部材７の左右方向の長さは、印字ヘッド３の左右方向の長さと略同一の長さであり、開口部１１は、印字ヘッド３のインク吐出口形成面４のインク吐出口（図示省略）が形成される範囲を全て覆うことができる大きさに形成されている。キャップ部材７は、硬質樹脂から形成されるが開口部１１の周縁部１２については、ゴムやエラストマ等の軟質の樹脂により形成され、この周縁部１２は開口部１１から突出した状態で設けられている。
【００２６】
キャップ部材７の右側面には、吸引ポンプ１０に繋がる可撓性チューブ９が接続される接続口１３が設けられている。この接続口１３は、キャップ部材７の開口部１１の内部に連通している。また、キャップ部材７の長手方向に沿う一縁には軸孔１４が形成される軸受部１５が設けられている。
【００２７】
図１，２に示すように、印字ヘッド３の左側には、キャップ部材変位用モータ８が配置されている。このキャップ部材変位用モータ８は、その出力軸１６を印字ヘッド３の前方であってプラテン５より上方に位置するように、プリンタ１に対して固定状態で配設されている。この出力軸１６の先端側、すなわちキャップ部材変位用モータ８と反対側の端部（図示省略）は、プリンタ１に対して回転自在に支持されている。更に、この出力軸１６には、キャップ部材７が軸孔１４に出力軸１６を通して取り付けられている。キャップ部材７は出力軸１６の周りに回転してしまわないように、出力軸１６と軸孔１４とを接着する等の方法により固定状態となっている。
【００２８】
したがって、キャップ部材変位用モータ８を回転することにより、キャップ部材７を、出力軸１６を回転中心として、図１に示す印字ヘッド３の前方であって印字用紙Ｐの上方の位置と、図２に示す印字ヘッド３の下側の位置とに変位させることができる。キャップ部材７は、図１に示す印字ヘッド３の前方の印字用紙Ｐの上方の位置に変位された状態では、開口部１１は、プラテン５、またはプラテン５上を搬送される印字用紙Ｐに対向するように下方を向いた噴射動作位置としての印字動作位置に配置させられている。また、キャップ部材７は、図２に示す印字ヘッド３の下側の位置に変位された状態では、開口部１１が、インク吐出口（図示省略）を覆いキャッピングを行うキャッピング位置に配置させられている。
【００２９】
なお軸受部１５は、キャップ部材７と一体形成され、キャップ部材７と同様に硬質樹脂から形成されている。また、このキャップ部材７の内部には、液体を吸収して保持することができる図示を省略する吸湿材としてのインク吸収材が収容されている。このインク吸収材としては、例えば、ポリビニルアルコール等の材料から形成された親水性多孔質体により構成されている。
【００３０】
（キャップ機構の動作）
次に、上述の構成を備えるプリンタ１のキャップ機構６の動作を、図１および図２を参照しながら説明する。
【００３１】
先ず、図２を参照しながら、プリンタ１が非印字動作時にあるときの、キャップ機構６の動作を説明する。図２に示すように、プリンタ１の非印字動作時には、プラテン５の前プラテン５Ａは、前方に配置させられ、後プラテン５Ｂと前プラテン５Ａとの間には、間隔Ｄが形成されている。そして、キャップ部材７は、この間隔Ｄの間であって、かつ、印字ヘッド３の下側に配置され、開口部１１の周縁部１２が、印字ヘッド３のインク吐出口形成面４に当接するキャッピング位置に配置させられている。
【００３２】
周縁部１２は、エラストマ等の軟質な樹脂により形成されている。そのため、インク吐出口形成面４に当接した周縁部１２はインク吐出口形成面４に密着し、インク吐出口（図示省略）がキャップ部材７によりほぼ気密に覆われた状態となる。このように、キャップ部材７がインク吐出口（図示省略）を気密に覆うことで、インクノズル内に残留するインクの溶媒の蒸発が抑えられ、非印字動作時が長期間継続しても、ノズル内のインクが凝固しノズルが詰まってしまうことを防止できる。なお、インク吐出口（図示省略）をキャップ部材７により覆った状態で、インクを吐出し、インク吸収材（図示省略）を湿潤にしておくことで、より効果的にノズル内のインク溶媒の蒸発を抑えることができる。また、インク吐出口（図示省略）をキャップ部材７により覆った状態で、吸引ポンプ１０を駆動し、ノズル内のインクを吸引することで、ノズル内に溜まった凝固したインクを除去することができる。
【００３３】
一方、印字動作を行う際、すなわち印字動作実行時には、キャップ部材７を印字の妨げにならない位置に退避させる必要がある。そのため、キャップ部材変位用モータ８を駆動し、キャップ部材７を、キャップ部材変位用モータ８の出力軸１６の周りに、キャッピング位置から前方に向けて、すなわち、右方から見て時計周りに１８０度回転すると、図１に示すように、キャップ部材７は、印字ヘッド３の下側から、印字ヘッド３の前方のプラテン５の高さより上の位置に配置される。そして、開口部１１が印字ヘッド３のインク吐出口形成面４と同じ方向である下方を向いている印字動作位置に配置されることになる。
【００３４】
このように、キャップ部材７を印字動作位置に配置した後、前プラテン５Ａを後プラテン５Ｂに当接する後方位置に変位させる。なお、キャップ部材７の印字動作位置は、前プラテン５Ａとキャップ部材７との間に、印字用紙Ｐが通過できる間隔が空くように設定されている。そうして、プラテン５上に印字用紙Ｐを搬送し、印字ヘッド３から印字用紙Ｐにインクを吐出することで、印字面ＰＭに文字等の記録、すなわち印字が行われる。なお、キャップ部材７は、印字動作位置では上述したようにプラテン５の高さより上の位置に配置されることになるので、プラテン５上を印字用紙Ｐが搬送される際には、印字用紙Ｐの上方に配置されていることになる。
【００３５】
（インクミスト吸引動作）
キャップ部材７を図１に示す印字動作位置に配置した状態で、吸引ポンプ１０を駆動し可撓性チューブ９側を負圧とすることで、キャップ部材７の開口部１１から、開口部１１の周囲の空気を吸引ポンプ１０側に吸引することができる。これにより、印字ヘッド３からインクを吐出する際に発生するインクミストをキャップ部材７の開口部１１内に吸引することができる。したがって、プリンタ１の筐体内部の壁面や部品等に付着しないようにすることができる。本実施の形態では、キャップ部材７の開口部１１を下方に向けて配置しているので、開口部１１を上側に向けた場合に比べて、開口部１１を印字ヘッド３のインク吐出口形成面４に近づけることができ、インク吐出口（図示省略）から吐出したインクのインクミストを効率的に吸引することができる。
【００３６】
インクミストの吸引は、実際に印字用紙Ｐにインクを吐出している印字動作実行時において行うことで、インクミストが周囲に飛散する前に吸引することができる。そのため、インクミストが筐体の壁面等へ付着することを効果的に防ぐことができる。また、印字用紙Ｐの搬送が終わり、次に搬送ローラ対２Ａ，２Ｂに給紙が行われるまでの間等の、インクの吐出が実際に行なわれる印字動作実行時ではないが、搬送ローラ対２Ａ，２Ｂに印字用紙Ｐを給紙すれば印字動作が行われる印字動作可能時においても吸引動作を行うようにすることで、印字動作実行時に飛散し浮遊しているインクミストを吸引することができ、インクミストの筐体の壁面等への付着を防ぐことができる。
【００３７】
本実施の形態においては、キャップ部材７の印字動作位置は、印字ヘッド３に対して、印字用紙Ｐの搬送方向の側、すなわち、図１において、印字ヘッド３の前方に配設されている。印字用紙Ｐが搬送されることにより、その搬送方向、すなわち、後方から前方に向かって流れる気流が生じることになる。そのため、印字ヘッド３から吐出したインクのインクミストは、この気流に従って後方から前方に流れる。したがって、印字ヘッド３の前方にキャップ部材７の印字動作位置を設定することにより、インクミストを効率よく吸引することができる。
【００３８】
なお、吸引ポンプ１０により吸引されたインクミストを含んだ空気は、吸引ポンプ１０内の備えられる図示を省略するインク吸収フィルタを介してプリンタ１の筐体外に排出される。吸引ポンプ１０により吸引された空気のインクミストは、インク吸収フィルタによりインクミストが吸収されるため、プリンタ１の筐体外には、インクミストが除去された空気が排出されることになる。このため、プリンタ１の設置場所付近がインクミストによって汚れてしまうことを防止することができる。
【００３９】
なお、印字を終了し、キャップ部材７を図２に示すキャッピング位置に変位させる場合には、先ず、前プラテン５Ａを前方に変位させ、後プラテン５Ｂと前プラテン５Ａとの間に間隔Ｄを形成する。そして、キャップ部材７を出力軸１６の回りに下向きに回転させ、間隔Ｄを通してキャピング位置に変位させる。
【００４０】
（変形例）
次に、上述した実施の形態にかかるプリンタ１の変形例を、図４（Ａ），（Ｂ）を参照しながら説明する。この図４（Ａ），（Ｂ）に示す変形例は、キャップ部材７をキャッピング位置と印字動作位置との間で変位させるさせ方が上述の実施の形態に示したプリンタ１と異なる。図４（Ａ），（Ｂ）は、キャップ部材７がキャッピング位置と印字動作位置との間を変位する様子を示すものであり、キャップ機構６と印字ヘッド３の部分の右方から見た状態を示している。なお、図１から図３に示したプリンタ１にかかる同様の部材については、同一の符号を付し、その説明を省略する。
【００４１】
図４（Ａ）は、プリンタ１の印字動作可能時における印字ヘッド３とキャップ機構６の配置を示し、図４（Ｂ）は、プリンタ１の印字動作が実行されていない非印字動作時における印字ヘッド３とキャップ部材７の配置を示している。また、図４（Ｂ）は、キャップ部材７を出力軸１６の周りに回動させるときの変位の様子を示している。
【００４２】
上述した実施の形態に係るプリンタ１においては、印字ヘッド３のキャッピング位置と印字動作位置との間の変位に際して、プラテン５を前プラテン５Ａと後プラテン５Ｂに分割し、前プラテン５Ａと後プラテン５Ｂとの間に形成される間隔Ｄを通して、キャップ部材７を出力軸１６の周りに回転させている。これに対し、図４（Ａ），（Ｂ）に示す変形例にかかるプリンタ１においては、プラテン５を前プラテン５Ａと後プラテン５Ｂに分割する代わりに、キャップ機構６および印字ヘッド３を上方に変位させた状態とする。そしてこの状態でキャップ部材７を出力軸１６を中心に回転させ、開口部１１が下方を向いた印字動作位置からキャッピング位置に変位させたり、また、キャッピング位置から印字動作位置に変位させる。
【００４３】
つまり、図４（Ｂ）に示すように、キャップ部材７が出力軸１６を中心に下方（図４で反時計方向）に回転する際にプラテン５に干渉しない位置までキャップ機構６と印字ヘッド３を上昇させた状態にする。そして、この状態で、上述したように、キャップ部材７を印字動作位置からキャッピング位置に変位させたり、また、キャッピング位置から印字動作実行位置に変位させる。
【００４４】
したがって、プリンタ１の印字動作可能時にあり、キャップ部材７が印字動作位置にある図４（Ａ）の状態から、プリンタ１を、図４（Ｂ）に実線で示すように、キャップ部材７がキャッピング位置に配置される非印字動作時の状態とするときには、先ず、キャップ機構６と印字ヘッド３を上昇させた状態とする。そして、この状態で、キャップ部材７を下方（図４で反時計方向）に１８０度回転させ印字動作位置からキャッピング位置に変位させる。一方、図４（Ｂ）に実線で示すように、プリンタ１が非印字動作時の状態にあり、キャップ部材７がキャッピング位置に配置されている図４（Ｂ）に示す状態から、プリンタ１を図４（Ａ）に示す印字動作可能時の状態とするときには、図４（Ｂ）に示すようにキャップ機構６と印字ヘッド３を上昇させた状態で、キャップ部材７を上方（図４で時計方向）に１８０度回転させ、キャッピング位置から印字動作時位置に変位させ、その後、印字ヘッド３とキャップ機構６とを図４（Ａ）に示す位置に下降させる。この変形例のように構成することで、平滑度を要求されるプラテン５を分割することなく、印字ヘッド３の変位を行うことができる。
【００４５】
上述した実施の形態およびその変形例に係るプリンタ１においては、キャップ部材７と吸引ポンプ１０という従来から備えられている部材を利用してインクミストを吸引しているため、インクミストを吸引するために新たに備える部材を少なくすることができ、インクミストを吸引するための構造を小型なものとすることができる。なお、吸引ポンプ１０は、インクミストを吸引するためにのみ用いる構成としてもよい。
【００４６】
また、印字動作位置にあるキャップ部材７は、上述の実施の形態およびその変形例では、開口部１１の開口縁が印字用紙Ｐに対して正対している状態で下方に向いているが、開口部１１が印字ヘッド３の側に若干向くよう配置してもよい。すなわち、開口部１１の開口縁の後側が前側に比べて印字用紙Ｐに対してやや上方に位置するように配置してもよい。このようにすることで、印字ヘッド３から吐出するインクミストの吸引をより効率的に行うことができる。
【００４７】
また、キャップ部材７の周囲の部材との関係等により、キャップ部材７を印字ヘッド３の前方に配置できない場合には、印字ヘッド３の後方に配置するようにしてもよい。
【００４８】
また、上述したプリンタ１においては、印字ヘッド３をライン型ヘッドとして説明しているが、ライン型に限らず、シリアル型の印字ヘッドであってもよい。この場合、キャップ部材は、印字の際に、印字ヘッドと共に印字用紙の幅方向に移動していくこととなる。また、印字媒体は、紙以外に樹脂、木材等であってもよい。
【００４９】
また、上述したプリンタ１においては、液体噴射装置をインクジェットプリンタに具体化したが、この限りではなく、インク以外の他の液体（機能材料の粒子が分散されている液状体、ジェルのような流状体などを含む）を噴射したり吐出したりした際にミストが発生する可能性のある液体噴射装置に具体化することもできる。例えば、液晶ディスプレイ、ＥＬ（エレクトロルミネッセンス）ディスプレイ及び面発光ディスプレイの製造などに用いられる電極材や色材などの材料を分散または溶解のかたちで含む液状体を噴射する液状体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ジェルを噴射する流状体噴射装置であってもよい。
【図面の簡単な説明】
【００５０】
【図１】本発明の実施の形態に係プリンタの全体的な概略の構成を示す斜視図であり、プリンタが印字動作可能時にあるときのものである。
【図２】図１と同様に、本発明の実施の形態に係るプリンタの全体的な概略の構成を示す斜視図であり、プリンタが非印字動作時にあるときのものである。
【図３】キャップ部材の構成を示す斜視図である。
【図４】本発明の実施の形態の変形例を示すもので、（Ａ）は、プリンタの印字動作可能時における印字ヘッドとキャップ機構の配置を示し、（Ｂ）は、プリンタの印字動作が実行されていない非印字動作時における印字ヘッドとキャップ部材の配置およびを示している。また、（Ｂ）は、キャップ部材を出力軸の周りに回動させるときの変位の様子を示している。
【符号の説明】
【００５１】
１  …  インクジェットプリンタ（液体噴射装置）    ３  …  印字ヘッド（液体噴射ヘッド）    ５  …  プラテン    ７  …  キャップ部材    １１  …  開口部    １０  …  吸引ポンプ（吸引手段）    Ｐ  …  印字用紙（吐出媒体）
【図１】
2008307840.tif 000003
【図２】
2008307840.tif 000004
【図３】
2008307840.tif 000005
【図４】
2008307840.tif 000006